(57)【要約】【課題】従来の低所型防霜ファンの茶樹内への収容方法は、一長一短があり、今後、この種の低所型防霜ファンを活用するには、前述の個々の改良点をクリアーする必要がある。また防霜ファンの茶樹内への収容を、確実かつ容易にするには、種々改良する必要がある。【構成】本発明は、茶樹内に収容し、茶樹上に上昇して防霜する低所型防霜ファンで、羽根の軸芯を、最も地面に近くする状態で羽根の停止位置を決定して収容するために、降下時に、羽根の停止位置を、決定する停止手段を、羽根と、低所型防霜ファンとの間に設ける構成である。防霜ファンの羽根を、茶樹内に、確実かつ容易に収容できる。収容を、手間、熟練を要さずワンタッチで行える。自動的に羽根の停止位置を決定して、地面より最短の高さで、茶樹内にセットできる。【選択図】　　図３
2004124837.tif 000002
【特許請求の範囲】
【請求項１】
茶樹内に降下して収容し、茶樹上に上昇して防霜する低所型防霜ファンであって、
この低所型防霜ファンの羽根の軸芯を、最も地面に近くする状態で当該羽根の停止位置を決定して収容するために、前記降下時に、この羽根の停止位置を、決定する停止手段を、当該羽根と、前記低所型防霜ファンとの間に設ける構成とした低所型防霜ファンの羽根コントロール機構。
【請求項２】
請求項１に記載の低所型防霜ファンの羽根は、三枚羽根であり、この三枚羽根を、略菱形状態で収容する構成とした低所型防霜ファンの羽根コントロール機構。
【請求項３】
請求項１に記載の低所型防霜ファンの羽根は、二枚羽根であり、この二枚羽根を、略々横一文字状態で収容する構成とした低所型防霜ファンの羽根コントロール機構。
【請求項４】
請求項１に記載の停止手段が、磁石であって、
この磁石は、停止位置が吸着領域に、非停止位置が反撥領域に区画する構成とした低所型防霜ファンの羽根コントロール機構。
【発明の詳細な説明】
【０００１】
【発明の属する技術分野】
この発明は、低所型防霜ファンの羽根コントロール機構に関する。
【０００２】
【従来の技術】
周知の如く、近時、茶園における摘採、防除（防虫）、茶刈等の自動化を図る茶園管理装置を使用する茶園管理（管理システムとする）の導入が進んでいる。この管理システムの実行に対して、在来の柱に取付けた防霜ファン（凍傷防止用のファン）では障害となることから、近時、茶樹内に収容できる低所型防霜ファンが必要不可欠と考えられている。そして、この管理システムでは、茶園管理装置が、茶樹上を移動する作業が多々ある。この際に、防霜ファンが一部でも、茶樹より突出すると、茶園管理装置の走行に支障を来すので、この防霜ファンは、必ず茶樹内に収容することが必須の条件である。
【０００３】
しかし、防霜ファンの茶樹内への収容には、次のような改良が考えられる。▲１▼に収容するに際し、防霜ファンの羽根カ゛ート゛及び／又は羽根が、茶樹より出る。このため羽根カ゛ート゛及び／又は羽根を取外すことが必要であり、取外しの場合は、手間を要すること、通常は数台となり作業が大変であること、また取付けが必要となり、手間等が掛ること等の改良点がある。▲２▼茶樹内に収容するに際し、防霜ファンの羽根カ゛ート゛及び／又は羽根が、茶樹より出る。このため地面に穴を掘ることが必要であり、手間を要すること、通常は数台となり穴掘り作業が大変であること、また穴に溜まる雨水対策の必要があり手間を要すること等である。▲３▼茶樹内に収容するに際し、防霜ファンを支持する支柱を折畳むことで収容、又は防霜ファンを首振りすることで収容する方法がある。この方法は、折畳み、又は首振りの作業を要するので、付帯的な設備を要し、また作業が複雑化すること、等の課題が考えられる。
【０００４】
【発明が解決しようとする課題】
以上で説明した如く、従来の低所型防霜ファンの茶樹内への収容方法は、一長一短があり、今後、この種の低所型防霜ファンを活用するには、前述の個々の改良点をクリアーする必要がある。また防霜ファンの茶樹内への収容を、確実かつ容易にするには、種々改良する必要がある。
【０００５】
【課題を解決するための手段】
請求項１の発明は、防霜ファンの羽根を、茶樹内に、確実かつ容易に収容すること、又はこの収容を、手間、熟練を要さずワンタッチで行うようにすること、或は自動的に羽根の停止位置を決定して、地面より最短の高さで、茶樹内にセットすることを意図する。
【０００６】
請求項１は、茶樹内に降下して収容し、茶樹上に上昇して防霜する低所型防霜ファンであって、低所型防霜ファンの羽根の軸芯を、最も地面に近くする状態で羽根の停止位置を決定して収容するために、降下時に、羽根の停止位置を、決定する停止手段を、羽根と、低所型防霜ファンとの間に設ける構成とした低所型防霜ファンの羽根コントロール機構である。
【０００７】
請求項２の発明は、低所型防霜ファンの羽根が三枚羽根を採用した際に、この三枚羽根を、茶樹内に確実に収容できる構成とすることを意図する。
【０００８】
請求項２は、請求項１に記載の低所型防霜ファンの羽根は、三枚羽根であり、この三枚羽根を、略菱形状態で収容する構成とした低所型防霜ファンの羽根コントロール機構である。
【０００９】
請求項３の発明は、低所型防霜ファンの羽根が二枚羽根を採用した際に、この二枚羽根を、茶樹内に確実に収容できる構成とすることを意図する。
【００１０】
請求項３は、請求項１に記載の低所型防霜ファンの羽根は、二枚羽根であり、この二枚羽根を、略々横一文字状態で収容する構成とした低所型防霜ファンの羽根コントロール機構である。
【００１１】
請求項４の発明は、羽根の停止位置の決定を、支柱及び又は防霜ファン支持部材との間に設けた対峙する磁石を利用して行い、この羽根の所定を位置に停止することを意図する。
【００１２】
請求項４は、請求項１に記載の停止手段が、磁石であって、磁石は、停止位置が吸着領域に、非停止位置が反撥領域に区画する構成とした低所型防霜ファンの羽根コントロール機構である。
【００１３】
【発明の実施の形態】
以下、本発明の実施の態様（好ましい一実施例）を説明する。
【００１４】
１は図示しない茶畝の地中に埋設された筒体に出し入れ可能に設けられた支柱で、この支柱１には防霜ファン２が設けられている。この防霜ファン２の図示した一例を説明する。防霜ファン２は、カハ゛ー兼支持体２０、傾斜俯角調整板２１、首振り装置２２、モータヘ゛ース２３、モータ２４、軸２５、羽根２６等を主構成要素とする。従って、羽根２６は、支柱１に対して俯角調整できることから、風を吹き降ろし、又は水平送風等の如く、調整できる。また防霜ファン２は、首振り可能であることから、茶園の地面広域方向に送風可能に構成されている。この俯角調整及び／又は首振り制御等は、一例である。また防霜ファン２の構造、また羽根２６の数等は、一例であり、限定されない。
【００１５】
３は羽根２６（羽根２６の軸芯２６−１）を、最も地面の近くに停止し、その位置を決定する停止手段で、この停止手段３は、羽根２６と、防霜ファン２との間に設ける構成であり、低所型防霜ファンの羽根停止用のコントロール機構主要部である。その一例を説明すると、羽根２６の裏面２６ａに設けた磁石３０（羽根２６の磁石３０とする）と、防霜ファン２（磁石の取付板２ａ）に設けた吸着側として機能する磁石３１（吸着側の磁石３１）及び／又は反撥側として機能する磁石３２（反撥側の磁石３２）とで構成する。この羽根２６の磁石３０と吸着側の磁石３１とで吸着領域を、また羽根２６の磁石３０と反撥側の磁石３２とで反撥領域を形成する。尚、磁石３０等は電磁石で構成し、遠隔操作により停止及び／又は可動することも可能であり、離間した場所での指令が図れること、緊急時、災害時、必要時に遠隔操作可能であり、重宝すること、等の実益がある。そして、停止手段３を介して羽根２６を、茶樹内に停止することで、確実かつスムース゛な茶刈機等の茶樹管理装置の運行及び／又は安全運行にも役立つ特徴がある。
【００１６】
この吸着領域の一例としては、羽根２６の磁石３０をＳ極（Ｎ極）とした場合には、吸着側の磁石３１はＮ極（Ｓ極）とし、しかも吸着側の磁石３１は、羽根２６の停止位置（吸着領域）に設ける構成とする。この羽根２６の停止位置の一例を説明すると、図１〜３の三枚羽根２６の構造では、図３に示すように地面ＧＬを水平と仮定した場合は、略菱形状態の位置Ａ、Ｂ、Ｃに配置する。また図４〜６の二枚羽根２６の構造では、図６に示すように地面ＧＬを水平と仮定した場合は、略々横一文字状態の位置Ｄ、Ｅに配置する。
【００１７】
また反撥領域の一例としては、羽根２６の磁石３０間（反撥領域）で、かつＮ極（Ｓ極）とした構成とする。従って、羽根２６の磁石３０が、この反撥領域にある場合には、この反撥側の磁石３２と羽根２６の磁石３０との反撥力を利用して、羽根２６を停止位置に誘導し、羽根２６の磁石３０が停止位置に達するように誘導する。この反撥側の磁石３２の停止位置の一例を説明すると、図１〜３の三枚羽根２６の構造では、図３に示すように地面ＧＬを水平と仮定した場合は、略逆菱形位置Ｆ、Ｇ、Ｈに配置する。また図４〜６の二枚羽根２６の構造では、図６に示すように地面ＧＬを水平と仮定した場合は、略々横一文字位置Ｉ、Ｊに配置する。
【００１８】
【発明の効果】
請求項１の発明は、茶樹内に降下して収容し、茶樹上に上昇して防霜する低所型防霜ファンであって、低所型防霜ファンの羽根の軸芯を、最も地面に近くする状態で羽根の停止位置を決定して収容するために、降下時に、羽根の停止位置を、決定する停止手段を、羽根と、低所型防霜ファンとの間に設ける構成とした低所型防霜ファンの羽根コントロール機構である。従って、防霜ファンの羽根を、茶樹内に、確実かつ容易に収容できること、又はこの収容を、手間、熟練を要さずワンタッチで行えること、或は自動的に羽根の停止位置を決定して、地面より最短の高さで、茶樹内にセットできること、等の特徴を有する。
【００１９】
請求項２の発明は、請求項１に記載の低所型防霜ファンの羽根が三枚羽根であるときは、三枚羽根を、略菱形状態で収容する構成とした低所型防霜ファンの羽根コントロール機構である。従って、低所型防霜ファンの羽根が三枚羽根を採用した際に、この三枚羽根を、茶樹内に確実に収容できる特徴がある。
【００２０】
請求項３の発明は、請求項１に記載の低所型防霜ファンの羽根が二枚羽根であるときは、二枚羽根を、略々横一文字状態で収容する構成とした低所型防霜ファンの羽根コントロール機構である。従って、低所型防霜ファンの羽根が二枚羽根を採用した際に、この二枚羽根を、茶樹内に確実に収容できる特徴がある。
【００２１】
請求項４の発明は、請求項１に記載の停止手段が、磁石であって、磁石は、停止位置が吸着領域に、非停止位置が反撥領域に区画する構成とした低所型防霜ファンの羽根コントロール機構である。従って、羽根の停止位置の決定を、支柱及び又は防霜ファン支持部材との間に設けた対峙する磁石を利用して、確実かつ容易に行える特徴がある。
【図面の簡単な説明】
【図１】低所型防霜ファンの羽根が三枚羽根を採用した際に、茶樹内に収容した全体の側面図
【図２】図１の平面図
【図３】図１の要部の正面図
【図４】低所型防霜ファンの羽根が二枚羽根を採用した際に、茶樹内に収容した全体の側面図
【図５】図４の平面図
【図６】図４の要部の正面図
【符号の説明】
１　　　　支柱
２　　　　　　　防霜ファン
２ａ　　　取付板
２０　　　カハ゛ー兼支持体
２１　　　傾斜俯角調整板
２２　　　首振り装置
２３　　　モータヘ゛ース
２４　　　モータ
２５　　　軸
２６　　　羽根
２６ａ　　　裏面
２６−１　　軸芯
３　　　　停止手段
３０　　　羽根の磁石
３１　　　吸着側の磁石
３２　　　反撥側の磁石
Ａ〜Ｊ　　位置
【図１】
2004124837.tif 000003
【図２】
2004124837.tif 000004
【図３】
2004124837.tif 000005
【図４】
2004124837.tif 000006
【図５】
2004124837.tif 000007
【図６】
2004124837.tif 000008